(57)【特許請求の範囲】
【請求項１】
歯科インプラント（４６）に取り付けるための歯科構成要素（１０）であって、歯科構成要素が：
−  少なくとも一つの凹状くぼみ（３８）を含む構成要素本体（１２）；及び
−  構成要素本体（１２）に除去可能に取り付けることができる金属アダプター（１４）、
を含み、
金属アダプター（１４）が、構成要素本体（１２）と金属アダプター（１４）の間の回転を防止するために構成要素本体（１２）における少なくとも一つの凹状くぼみ（３８）に対して当接するように適応された少なくとも一つの凸状ローブ（１６）を含み、前記少なくとも一つの凸状ローブ（１６）が、金属アダプター（１４）が構成要素本体（１２）に取り付けられるときに構成要素本体（１２）の先端部（３４）の先端に延び、
金属アダプター（１４）が、金属アダプター（１４）を冠状部から先端部の方向で構成要素本体（１２）に固定するために、構成要素本体（１２）の側壁（３６）に対して押圧するか及び／又は構成要素本体の対応するアンダーカットにスナップ嵌合するように適応された突出部（５０）を有する少なくとも一つの可撓性アーム（５２）を含み、
少なくとも一つの凸状ローブ（１６）及び少なくとも一つの対応する凹状くぼみ（３８）が、歯科構成要素（１０）の周囲方向に均一に分布された三つの凸状ローブ（１６ａ−ｃ）及び凹状くぼみ（３８ａ−ｃ）からなり、少なくとも一つの可撓性アーム（５２）が、各々が突出部（５０ａ−ｃ）を有する三つの可撓性アーム（５２ａ−ｃ）からなり、三つの可撓性アーム（５２ａ−ｃ）が、各可撓性アーム（５２ａ−ｃ）が凸状ローブ（１６ａ−ｃ）のうちの二つの間に位置されるように歯科構成要素（１０）の周囲方向に均一に分布される、歯科構成要素。
【請求項２】
前記少なくとも一つの凸状ローブが、歯科構成要素と歯科インプラントの間の回転を防止するために歯科インプラント（４６）少なくとも一つの対応する凹状くぼみ（４４）に対しても当接するように適応される、請求項１に記載の歯科構成要素。
【請求項３】
構成要素本体が、その先端部（３４）において、前記少なくとも一つの凹状くぼみ（３８）及び前記側壁（３６）を含むくぼみ（３２）を有し、くぼみが歯科インプラント接触面（４０）によって包囲される、請求項１又は２に記載の歯科構成要素。
【請求項４】
金属アダプターが、構成要素本体と歯科インプラントの内側に完全に包囲される、請求項１〜３のいずれかに記載の歯科構成要素。
【請求項５】
構成要素本体が、構成要素本体を貫通しかつ第一端（６４ａ）で第一開口（６２ａ）を形成し先端部（６４ｂ）で第二開口（６２ｂ）を形成するねじ通路（６０）、及び歯科インプラントへの歯科構成要素の固定のためにねじ（７２）の頭部（７０）を着座するためのねじ通路の先端部に隣接するねじ座部（６８）含む、請求項１〜４のいずれかに記載の歯科構成要素。
【請求項６】
第一端（６４ａ）におけるねじ通路（６０）の長手方向軸（９２ａ）が、先端部におけるねじ通路の長手方向軸（９２ｂ）に一致しない、請求項５に記載の歯科構成要素。
【請求項７】
歯科構成要素がアバットメントである、請求項１〜６のいずれかに記載の歯科構成要素。
【請求項８】
構成要素本体が、歯科修復物を支持するために適応されている、請求項１〜７のいずれかに記載の歯科構成要素。
【請求項９】
構成要素本体が、セラミックである、請求項１〜８のいずれかに記載の歯科構成要素。
【請求項１０】
歯科インプラントと組み合わせた、請求項１〜９のいずれかに記載の歯科構成要素。
【請求項１１】
歯科インプラント（４６）への取り付けのための歯科構成要素（１０）を組み立てる方法であって、歯科構成要素が、請求項１に記載のものであり、前記方法が以下のことを含む：
−  金属アダプターの少なくとも一つの凸状ローブが構成要素本体における少なくとも一つの凹状くぼみに対して当接するように金属アダプターを構成要素本体に取り付け、それによって前記少なくとも一つの凸状ローブが、構成要素本体の先端部（３４）の先端に延び、歯科インプラントに対するインターフェースとしても作用する。
【発明の詳細な説明】
【技術分野】
【０００１】
本発明は、金属アダプターを含む歯科構成要素に関する。
【背景技術】
【０００２】
ＷＯ２００４００２３５８Ａ１は、インプラント上に適合されるように設計された関連アダプターを有するスペーサーを開示する。アダプターは、スペーサーをインプラント上に固定するために、スペーサー及びインプラントのそれぞれと協働するように設計された第一及び第二部分を含む。アダプターは、スペーサー及びインプラントによって完全に包囲され、アダプターの第一部分は、前記部分上に弾性要素を形成するためのスリット、及び／又はアダプター及びスペーサーが一緒に結合されるとき、スペーサー材料における対向部分内に貫通するときに変形される貫通部分を伴なって設計されることができる。スペーサー及びアダプターは、このようにしてインプラントに付与されると容易に一緒に保持されることができ、完成作業がスペーサーに実施されるときに分解されることができる。第一部分は六角形断面を有し、一方、第二部分は外側に突出する部材、特に三つの凸状ローブを与えられる。しかしながら、ＷＯ２００４００２３５８Ａ１におけるスペーサーのアバットメント−インプラントの接触面は幾分小さいかもしれない。また、一方では六角形第一部分とスペーサーの間、他方ではローブ状第二部分とインプラントの間で幾らかの全体的な回転遊びが存在しうる。
【発明の概要】
【０００３】
本発明は、添付の独立請求項で規定される。実施形態は、添付の従属請求項で規定される。
【０００４】
本発明の一態様によれば、歯科インプラントに取り付けるための歯科構成要素であって、歯科構成要素が、少なくとも一つの凹状くぼみを含む構成要素本体、及び構成要素本体に除去可能に取り付けることができる金属アダプターを含み、金属アダプターが、構成要素本体と金属アダプターの間の回転を防止するために構成要素本体における少なくとも一つの凹状くぼみに対して当接するように適応された少なくとも一つの凸状ローブ（ｃｏｎｖｅｘ  ｌｏｂｅ）を含み、前記少なくとも一つの凸状ローブが、金属アダプターが構成要素本体に取り付けられるときに構成要素本体の先端部の先端に延びる、歯科構成要素が提供される。前記少なくとも一つの凸状ローブは、歯科構成要素と歯科インプラントの間の回転を防止するために歯科インプラントにおける少なくとも一つの対応する凹状くぼみに対しても当接するように適応されることができる。従って、インプラント並び構成要素本体に嵌合するアダプター上に一つだけの接続部（少なくとも一つのローブ）があり、それによって回転遊びの許容度が減少されることができる。
【０００５】
金属アダプターは、金属アダプターを冠状部から先端部の方向で構成要素本体に固定するために側壁に対して押圧するか及び／又は構成要素本体の対応するアンダーカット（もしあれば）にスナップ嵌合するように適応された突出部を有する少なくとも一つの可撓性アームを含むことができる。
【０００６】
構成要素本体は、その先端部において、前記少なくとも一つの凹状くぼみ及び前記側壁を含むくぼみを有することができ、くぼみは、歯科インプラント接触面によって包囲されることができる。
【０００７】
少なくとも一つの凸状ローブ及び少なくとも一つの対応する凹状くぼみは、歯科構成要素の周囲方向に均一に分布された三つの凸状ローブ及び凹状くぼみからなることができ、少なくとも一つの可撓性アームは、各々が突出部を有する三つの可撓性アームからなり、三つの可撓性アームは、各可撓性アームが凸状ローブのうちの二つの間に位置されるように歯科構成要素の周囲方向に均一に分布されることができる。
【０００８】
金属アダプターは、構成要素本体と歯科インプラントの内側に完全に包囲されることができる。
【０００９】
構成要素本体は、構成要素本体を貫通しかつ第一端で第一開口を形成し先端部で第二開口を形成するねじ通路、及び歯科インプラントへの歯科構成要素の固定のためにねじの頭部を着座するためのねじ通路の先端部に隣接するねじ座部を含むことができる。
【００１０】
一つ以上の実施形態では、第一端におけるねじ通路の長手方向軸は、先端部におけるねじ通路の長手方向軸に一致しない。
【００１１】
歯科構成要素は、例えばアバットメントであることができる。
【００１２】
構成要素本体は、歯科修復物を支持するために適応されている。
【００１３】
構成要素本体は、完全輪郭形成部（ｆｕｌｌ−ｃｏｎｔｏｕｒ  ｐａｒｔ）であることができる。
【００１４】
構成要素本体は、セラミックであることができる。
【００１５】
本発明の別の態様によれば、歯科構成要素は、歯科インプラントと組み合わせて与えられる。
【００１６】
本発明のさらに別の態様によれば、歯科インプラントへの取り付けのための歯科構成要素を組み立てる方法が提供され、歯科構成要素は、少なくとも一つの凹状くぼみを含むセラミック構成要素本体、及びセラミック構成要素本体に除去可能に取り付けることができる金属アダプターを含み、金属アダプターは、セラミック部と金属アダプターの間の回転を防止するためにセラミック構成要素本体における少なくとも一つの凹状くぼみに対して当接するように適応された少なくとも一つの凸状ローブを含み、前記方法は以下のことを含む：
−  金属アダプターの少なくとも一つの凸状ローブがセラミック構成要素本体における少なくとも一つの凹状くぼみに対して当接するように金属アダプターをセラミック構成要素本体に取り付け、それによって前記少なくとも一つの凸状ローブが、セラミック構成要素本体の先端部の先端に延び、歯科インプラントに対するインターフェースとしても作用する。この態様は、前に述べた態様と同じ又は同様の特徴及び／又は技術効果を示すことができ、その逆もある。
【図面の簡単な説明】
【００１７】
本発明のこれら及び他の態様は、本発明の好ましい実施形態を示す添付図面を参照して、より詳細に記載されるだろう。
【００１８】
【図１ａ】図１ａは、本発明の一実施形態による構成要素本体及び金属アダプターを有する歯科構成要素の透視図である。
【００１９】
【図１ｂ】図１ｂは、図１ａの歯科構成要素の断面図である。
【００２０】
【図２ａ−２ｄ】図２ａは、図１ａ−１ｂの金属アダプターの透視図である。図２ｂは、図２ａの金属アダプターの断面図である。図２ｃは、図２ａの金属アダプターの側面図である。図２ｄは、図２ａの金属アダプターの上面図である。
【００２１】
【図３ａ】図３ａは、図１ａ−１ｂの構成要素本体の断面透視図である。
【００２２】
【図３ｂ】図３ｂは、図３ａの構成要素本体の断面側面図である。
【００２３】
【図３ｃ】図３ｃは、図３ａの構成要素本体の底面図である。
【００２４】
【図４ａ】図４ａは、歯科インプラントに取り付けられかつ固定された図１ａ−１ｂの歯科構成要素の透視図である。
【００２５】
【図４ｂ】図４ｂは、図４ａの配置の断面図である。
【００２６】
【図５】図５は、図４ａのインプラントの上面図である。
【発明を実施するための形態】
【００２７】
図１ａ−１ｂは、本発明の一実施形態による歯科構成要素１０、例えばアバットメント（最終物又は仮の物）を示す。
【００２８】
歯科構成要素１０は、冠状構成要素本体１２を含む。図における構成要素本体１２の外部形状は、概略的であるかもしれない。構成要素本体１２は、単一ユニット修復物（歯冠）又はブリッジのような、歯科修復物又は歯科補綴物を支持するように適応されることができる。修復物又は補綴物は、例えば構成要素本体１２にセメント接着されることができる。あるいは、本発明の歯科構成要素の構成要素本体は、完全輪郭形成部であることができる。構成要素本体１２は、全体的にジルコニアのようなセラミック材料から作られることが好ましい。あるいは、構成要素本体１２は、ＰＥＥＫ（ポリエーテルエーテルケトン）、金などから作られることができる。
【００２９】
歯科構成要素１０は、先端金属アダプター１４をさらに含む。金属アダプター１４はまた、図２に示されている。金属アダプター１４は、例えばチタン又はチタン合金から作られる。金属アダプター１４は、少なくとも一つの凸状ローブ１６を含む。少なくとも一つの凸状ローブ１６は、歯科構成要素１０／構成要素本体１２／金属アダプター１４の中央長手方向軸１８に対して外側に突出している。少なくとも一つの凸状ローブ１６は、実質的に金属アダプター１４の冠状端２０から金属アダプター１４の先端部２２の方に（必ずしもずっとこの方向でなくてもよい）延びる。少なくとも一つの凸状ローブ１６は、長手方向軸１８に対して実質的に平行に延びる。冠状端２０における金属アダプター１４の縁２４は斜角を付けられることができる。少なくとも一つの凸状ローブ１６の先端方向に、金属アダプター１４は、実質的に円筒形の部分２６を含むことができる。金属アダプター１４は、中央内腔２８をさらに含む。内腔２８は、金属アダプター１４を貫通し、かつ冠状開口３０ａ及び先端開口３０ｂを形成する。特に、図示された金属アダプター１４は、三つの凸状ローブ１６ａ−ｃを含む。三つの凸状ローブ１６ａ−ｃは、歯科構成要素１０の周囲方向に均一に分布される。
【００３０】
構成要素本体１２は、構成要素本体１２の先端部３４に与えられた実質的に中央のくぼみ３２を含む。図３ａ−３ｃ参照。くぼみ３２は、次に、側壁３６、及び金属アダプター１４の少なくとも一つの凸状ローブ１６に対応する少なくとも一つの凹状くぼみ３８を含む。少なくとも一つの凸状ローブ１６は、構成要素本体１２と金属アダプター１４が互いに取り付けられるときにそれらの間で回転することを防止するために少なくとも一つの凹状くぼみ３８に対して横方向に当接するように適応される。くぼみ３２は、周囲先端面４０によって包囲され、周囲先端面４０は、長手方向軸１８に対して垂直な面で平坦であることが好ましい。特に、図示された構成要素本体１２は、凸状ローブ１６ａ−ｃに整合する三つの凹状くぼみ３８ａ−ｃを含む。三つの凹状くぼみ３８ａ−ｃは、歯科構成要素１０の周囲方向に均一に分布される。
【００３１】
歯科構成要素１０は、金属アダプター１４が構成要素本体１２に適切に取り付けられるときに少なくとも一つの凸状ローブ１６が構成要素本体１２の先端部３４の先端に中断されずに延びるように寸法決定される。従って、少なくとも一つの凸状ローブ１６は、図１ａ−１ｂに示されるように露出された先端領域４２ａを持ち、くぼみ３２に受け入れられる別の冠状領域４２ｂを持つ。この目的のため、少なくとも一つの凸状ローブ１６の高さＨは、長手方向軸１８の方向で見ると、くぼみ３２の深さＤより大きい。金属アダプター１４が構成要素本体１２に適切に取り付けられるとき、金属アダプター１４の冠状端２０はくぼみ３２の冠状／下部面８０に対して当接する。少なくとも一つの凸状ローブ１６の露出領域４２ａは、金属アダプター１４／歯科構成要素１０と歯科インプラント４６の間の回転を防止するために、（図４に示されているように）歯科インプラント４６の少なくとも一つの対応する凹状くぼみ４４に対して横方向に当接するように適応される。図示された実施形態では、歯科インプラント４６は、三つの凹状くぼみ４４ａ−ｃを含む。図５も参照。三つの凹状くぼみ４４ａ−ｃは、幾つかの出願人のインプラント、例えば内部３通路接続を有するＮｏｂｅｌＲｅｐｌａｃｅに既に含まれるいわゆる内部３通路接続インターフェースのものと同じ方法で具体化されることが好ましい。歯科構成要素１０がインプラント４６に取り付けられるとき、構成要素本体１２の周囲先端面４０は、インプラント４６の対応する又はより大きい冠状上部面４８に対して当接する。ＷＯ２００４００２３５８Ａ１に開示された解決策に対してこの増加された歯科構成要素１０／インプラント４６の接触面は、良好な応力流れ及び改良された強度に導く。また、本発明は、ＷＯ２００４００２３５８Ａ１に開示された解決策に対して少なくとも半分は回転遊び許容度を減少する。なぜならばインプラント４６並びに構成要素本体１２に嵌合するアダプター１４上には一つだけの接続（少なくとも一つのローブ１６）が存在するからである。少なくとも一つの凹状くぼみ４４に加えて、歯科インプラント４６は、円筒状部分２６に一致し、かつ少なくとも一つの凹状くぼみ４４の先端に配置される円筒状室７６を含む。インプラント４６は、円筒状室７６の先端に配置された雌ねじ部分７８をさらに含む（図４ｂ）。
【００３２】
金属アダプター１４は、金属アダプター１４が取り付け／取りはずしを繰り返しできるように構成要素本体１２に除去可能に取り付けられることができる。この目的のため、金属アダプター１４は、突出部５０を有する少なくとも一つの可撓性アーム５２を含むことができる。少なくとも一つの可撓性アーム５２は、例えば金属アダプター１４の側壁における切欠きによって形成されることができる。少なくとも一つのアーム５２は、金属アダプター１４の先端部２２から離れる方向に延び、それは、長手方向軸１８に略平行である。突出部５０は、可撓性アーム５２の冠状自由端に与えられる。少なくとも一つの突出部５０は外側に向けられている。「外側に」は、ここでは中央長手方向軸１８から実質的に離れる方向を意味する。少なくとも一つの突出部５０は、例えば軸１８から半径方向に離れて突出することができる。少なくとも一つの突出部５０は、軸方向に限定された範囲を持つことができる。換言すれば、それは、規定された高さをもつ。各可撓性アームと突出部の組み合わせはまた、ラッチとして言及されることができる。
【００３３】
少なくとも一つのアーム５２は、突出部５０を有する自由端が図２ｄの矢印によって示されるように半径方向に（長手方向軸１８に垂直に）移動するか又は撓むことができるほど可撓性である。少なくとも一つのアーム５２の可撓性は、アダプター１４がどの材料から作られるかによってアーム５２の好適な寸法を選択することによって達成及び制御されることができる。少なくとも一つの可撓性アーム５２は、少なくとも一つの凸状ローブ１６と実質的に同じ高さで配置される。図示された実施形態では、突出部５０ａ−ｃを各々有する三つの可撓性アーム５２ａ−ｃが存在する。三つの可撓性アーム５２ａ−ｃは、各突出部と可撓性アームの組み合わせが凸状ローブ１６ａ−ｃのうちの二つの間に位置されるように歯科構成要素１０の周囲方向に均一に分布されている。構成要素本体１２は、任意選択的にくぼみ３２に少なくとも一つのアンダーカット（図示せず）を含むことができ、その少なくとも一つのアンダーカットは、金属アダプター１４の少なくとも一つの突出部５０に整合する。
【００３４】
構成要素本体１２と金属アダプター１４が結合されるとき、突出部５０は、くぼみ３２の凹状くぼみ３８の間の側壁３６に対して押圧し、それによって金属アダプター１４は、摩擦嵌合及び／又は圧力嵌合によって構成要素本体１２に軸方向に（冠状部から先端部の方向に）取り付けられる。金属アーム５２の主に弾性変形で、金属アダプター１４は、構成要素本体１２に取り付けられ、除去されることを数回行なうことができる。金属アダプター１４は、接着剤、ねじ、ボルトなどの工具又は追加の固定手段なしで手で構成要素本体１２に取り付けられることができ、構成要素本体１２から除去されることができる。くぼみ３２がまた、前記少なくとも一つのアンダーカットを含む場合には、突出部５０は、その中に受け入れられることができ、それによってスナップロッキングが起こりうる。
【００３５】
構成要素本体１２は、ねじ通路６０をさらに含む。ねじ通路６０は、構成要素本体１２を貫通し、ねじ通路６０の第一端６４ａに第一開口６２ａを形成し、ねじ通路６０の第二端（先端部）６４ｂに第二開口６２ｂを形成する。第二開口６２ｂは、構成要素本体１２のくぼみ３２の冠状／下部面８０にある。
【００３６】
ねじ通路６０は真直ぐ（図示せず）であることができる。あるいは、図示された実施形態のように、第一端６４ａにおけるねじ通路６０の長手方向軸９２ａは、第二端６４ｂにおけるねじ通路６０の長手方向軸９２ｂと一致しない。即ち、ねじ通路６０は斜角を付けられることができる。第二端６４ｂにおけるねじ通路６０の長手方向軸９２ｂは、全体的に長手方向軸１８と一直線になる。第一開口６４ａは、構成要素本体１２の側面の一つに位置される。好ましくは、少なくとも第一開口６２ａと第二開口６２ｂの間の斜角を付けられたねじ通路６０の部分９４は湾曲される。
【００３７】
ねじ通路６０には、第二端５８ｂに隣接してねじ座部６８が与えられる。ねじ通路６０は、前記ねじ座部６８を規定する傾斜面を含むことが好ましい。ねじ座部６８は、歯科インプラント４６に歯科構成要素１０を固定するために使用されるねじ７２の頭部７０（図４ｂ）に着座するように適応される。頭部７０とは反対に、ねじ７２は雄ねじ７４を有する。また、構成要素本体１２及び金属アダプター１４が組み立てられるとき、構成要素本体１２のねじ通路６０及び金属アダプター１４の内腔は一直線になる。
【００３８】
歯科構成要素１０が歯科インプラント１８に取り付けられるとき、歯科構成要素１０の金属アダプター１４の露出領域４２ａは、少なくとも一つの凸状ローブ１６が上で説明したように対応する凹状くぼみ４４に対して当接するようにインプラント４６中に挿入される。ねじ７２は、ねじ通路６０及び内腔２８を通って延び、さらに雌ねじ部分７８中に延び、そこでねじ７２の雄ねじ７４は前記雌ねじ部分７８と係合する。好適な工具（図示せず）でねじ７２を回転することによって、ねじ頭部７０は、構成要素本体１２においてねじ座部６８に対して押圧され、歯科構成要素１０は、インプラント４６に固定されることができる。歯科構成要素１０が歯科インプラント４６に取り付けられるとき、金属アダプター１４は、図４ａ−４ｂに見られるように構成要素本体１２及び歯科インプラント４６の内側に完全に封入される。
【００３９】
歯科インプラント４６に歯科構成要素１０を取り付ける好適な方法は、「ＭＥＴＨＯＤ  ＯＦ  ＡＴＴＡＣＨＩＮＧ  Ａ  ＤＥＮＴＡＬ  ＣＯＭＰＯＮＥＮＴ  ＴＯ  Ａ  ＤＥＮＴＡＬ  ＩＭＰＬＡＮＴ」という名称の出願人の共に係属中の出願に記載されており、その内容は、参考としてここに組み入れられる。
【００４０】
当業者は、本発明が上記の好ましい実施形態に全く限定されないことを認識する。逆に、多くの修正例及び変形例が添付の請求項の範囲内で可能である。
【図１ａ】
0006338591.tif 000002
【図１ｂ】
0006338591.tif 000003
【図２ａ−２ｄ】
0006338591.tif 000004
【図３ａ】
0006338591.tif 000005
【図３ｂ】
0006338591.tif 000006
【図３ｃ】
0006338591.tif 000007
【図４ａ】
0006338591.tif 000008
【図４ｂ】
0006338591.tif 000009
【図５】
0006338591.tif 000010